(57)【要約】      （修正有）【課題】使用勝手の良好な床材を提供する。【解決手段】床材Ｆは、略矩形形状の床材本体１と、この床材本体１の裏面に粘着剤ｎを介して取り付けられた軟質の略矩形形状のシート状部材２とを備え、床材本体１の厚みは、約１ｍｍ〜約８ｍｍであり、シート状部材２の厚みは、約０．５ｍｍ〜約５ｍｍである。シート状部材２は、床材本体１に面する面全体に亘って粘着剤ｎが塗布され、シート状部材２の平面視形状と床材本体１の平面視形状とは、略同じ大きさであり、シート状部材２は、床材本体１の短辺、この短辺に連なる床材本体１の一の長辺及びこの一の長辺と床材本体１の短辺とで形成されるコーナー部より突出した突出部２Ａを有し、床材本体１の裏面は、シート状部材２が突出した分、シート状部材２で覆われないで露出して露出部１Ａが形成されている。【選択図】図５
2012167472.tif 000002
【特許請求の範囲】
【請求項１】
略矩形形状の床材本体と、
この床材本体の裏面に粘着剤を介して取り付けられ、軟質の略矩形形状のシート状部材とを備え、
前記床材本体の厚みは、約１ｍｍ〜約８ｍｍであり、
前記シート状部材の厚みは、約０．５ｍｍ〜約５ｍｍであり、
前記シート状部材は、略全体に亘って粘着剤が塗布され、
前記粘着剤は、前記床材本体に面する側であり、
前記シート状部材の平面視形状と前記床材本体の平面視形状とは、略同じ大きさであり、
前記シート状部材は、前記床材本体の短辺、この短辺に連なる前記床材本体の一の長辺及びこの一の長辺と前記床材本体の前記短辺とで形成されるコーナー部より突出した突出部を有し、
この突出部の長辺である前記シート状部材の長辺と前記床材本体の長辺とは、平行であり、
前記突出部の短辺である前記シート状部材の短辺と前記床材本体の短辺とは、平行であり、
前記床材本体の裏面は、前記シート状部材が突出した分、前記シート状部材で覆われないで露出して露出部が形成されている
ことを特徴とする床材。
【請求項２】
施工面に請求項１記載の床材のシート状部材を当接して前記床材を敷き詰めて形成される床面であって、
前記シート状部材の粘着剤を介して隣接する床材本体同士を接続する
ことを特徴とする床面。
【請求項３】
略矩形形状の床材本体と、
この床材本体の裏面全体に亘って塗布された粘着剤と、
この粘着剤を介して前記床材本体の裏面に取り付けられた軟質の略矩形形状のシート状部材とを備え、
前記床材本体の厚みは、約１ｍｍ〜約８ｍｍであり、
前記シート状部材の厚みは、約０．５ｍｍ〜約５ｍｍであり、
前記シート状部材の平面視形状と前記床材本体の平面視形状とは、略同じ大きさであり、
前記シート状部材は、前記床材本体の短辺、この短辺に連なる前記床材本体の一の長辺及びこの一の長辺と前記床材本体の前記短辺とで形成されるコーナー部より突出した突出部を有し、
この突出部の長辺である前記シート状部材の長辺と前記床材本体の長辺とは、平行であり、
前記突出部の短辺である前記シート状部材の短辺と前記床材本体の短辺とは、平行であり、
前記床材本体の裏面は、前記シート状部材が突出した分、前記シート状部材で覆われないで露出して前記粘着剤が塗布された露出部が形成されている
ことを特徴とする床材。
【請求項４】
施工面に請求項３記載の床材のシート状部材を当接して前記床材を敷き詰めて形成される床面であって、
露出部にある粘着剤を介して隣接する床材本体同士を接続する
ことを特徴とする床面。
【請求項５】
露出部に離剥紙が付着して、前記露出部を覆っている
ことを特徴とする 請求項１又は請求項３記載の床材。
【請求項６】
施工面がカーペットであって、
このカーペットの上に請求項１又は請求項３記載の床材を敷き詰め、
請求項１又は請求項３記載のシート状部材の施工面側に、前記カーペットに係止する係止部材を備えた面状ファスナーを取り付け、
前記面状ファスナーの係止部材が前記カーペットに係止している
ことを特徴とする床面。
【請求項７】
ＯＡフロアをカーペットで覆い、このカーペットを請求項１又は請求項３記載の床材を敷き詰めて覆う
ことを特徴とする請求項６記載の床面。
【請求項８】
略矩形形状の床材本体と、
この床材本体の裏面に付着して取り付けられ、軟質の略矩形形状のシート状部材とを備え、
前記床材本体の厚みは、約１ｍｍ〜約８ｍｍであり、
前記シート状部材の厚みは、約０．５ｍｍ〜約５ｍｍであり、
前記シート状部材は、略全体に亘って粘着剤が塗布され、
前記シート状部材の平面視形状と前記床材本体の平面視形状とは、略同じ大きさであり、
前記シート状部材は、前記床材本体の短辺、この短辺に連なる前記床材本体の一の長辺及びこの一の長辺と前記床材本体の前記短辺とで形成されるコーナー部より突出した突出部を有し、
この突出部の長辺である前記シート状部材の長辺と前記床材本体の長辺とは、平行であり、
前記突出部の短辺である前記シート状部材の短辺と前記床材本体の短辺とは、平行であり、
前記床材本体の裏面は、前記シート状部材が突出した分、前記シート状部材で覆われないで露出して露出部が形成され、
この露出部の表面に略全体に亘って第１の面状ファスナーが設けられ、
前記シート状部材の突出した部位の表面の略全体に亘って第２の面状ファスナーが設けられ、
前記第１の面状ファスナーが雄型であれば、前記第２の面状ファスナーは雌型であり、
前記第１の面状ファスナーが雌型であれば、前記第２の面状ファスナーは雄型であり、
前記第１の面状ファスナーが雄雌型であれば、前記第２の面状ファスナーは雄雌型である
ことを特徴とする床材。
【請求項９】
カーペットの上に敷き詰める略矩形形状の床材本体であって、
前記床材本体の裏面に、前記カーペットに係止する係止部材を備えた面状ファスナーを取り付けた
ことを特徴とする床材。
【発明の詳細な説明】
【技術分野】
【０００１】
本発明は、床材及び床面に係り、特に、使用勝手の良好な床材及び床面に関する。
【背景技術】
【０００２】
従来、木質系の床材は湿度・温度変化による反りや変形が発生しても安定した敷き詰め状態を確保するために、雄雌のサネ嵌合により隣接する床材同士を繋ぐと共に、タッカー、接着剤等を併用し、根太、床の下地に固定していた。
ところが、施工後に、床材の一部分が傷んだり、不良になった場合、隣接する床材同士は繋がり、しかも、タッカー、接着剤等により根太、床の下地に固定されているため、部分的に張り替えるのは、かなりの時間と費用を要する。
また、近年需要が急増している床下配線を定期的に点検するＯＡフロアー、返却時に元通りの床に戻さなければならない賃貸住宅・賃貸事務所向け等にあっては、部分的に簡単に剥がせる使用勝手の良好な床材が求められている。
この点を考慮し、必要なときには床下地から容易に床材を分離することができ、床材の貼り替え作業を容易化するとともに、解体時などでも容易に分別処理することができる床材がある（例えば、特許文献１参照）。
この床材は、裏面に粘着剤が塗布され、離型フィルムが床材の粘着剤塗布面側に予め貼り付けてあり、施工時、床材から離型フィルムを引き剥がす。そして、引き剥がした離型フィルムを反転させ、離型面、すなわち、床材の粘着剤と接触していた面とは反対側の面（離型剤が塗布されていない面）を、床材の粘着剤が塗布されている面に貼り付ける。    その際に、離型フィルムの一部が直交する２辺からはみ出るようにして貼り付けている。
【０００３】
【特許文献１】特開２０１０−２６１３０５号公報  図２参照
【発明の概要】
【発明が解決しようとする課題】
【０００４】
しかしながら、上述した床材にあっては、施工現場において、床材から離型フィルムを一々引き剥がし、引き剥がした離型フィルムを反転させて離型フィルムの一部が直交する２辺からはみ出るようにして貼り付けねばならず、使用勝手が良好でないという問題点があった。
【０００５】
本発明は、上記の問題点を考慮してなされた使用勝手の良好な床材及び床面を提供することを目的とする。
【課題を解決するための手段】
【０００６】
請求項１記載の床材は、略矩形形状の床材本体と、この床材本体の裏面に粘着剤を介して取り付けられ、軟質の略矩形形状のシート状部材とを備え、前記床材本体の厚みは、約１ｍｍ〜約８ｍｍであり、前記シート状部材の厚みは、約０．５ｍｍ〜約５ｍｍであり、前記シート状部材は、略全体に亘って粘着剤が塗布され、前記粘着剤は、前記床材本体に面する側であり、前記シート状部材の平面視形状と前記床材本体の平面視形状とは、略同じ大きさであり、前記シート状部材は、前記床材本体の短辺、この短辺に連なる前記床材本体の一の長辺及びこの一の長辺と前記床材本体の前記短辺とで形成されるコーナー部より突出した突出部を有し、この突出部の長辺である前記シート状部材の長辺と前記床材本体の長辺とは、平行であり、前記突出部の短辺である前記シート状部材の短辺と前記床材本体の短辺とは、平行であり、前記床材本体の裏面は、前記シート状部材が突出した分、前記シート状部材で覆われないで露出して露出部が形成されているものである。
【０００７】
また、請求項２記載の床面は、施工面に請求項１記載の床材のシート状部材を当接して前記床材を敷き詰めて形成される床面であって、前記シート状部材の粘着剤を介して隣接する床材本体同士を接続するものである。
【０００８】
また、請求項３記載の床材は、略矩形形状の床材本体と、この床材本体の裏面全体に亘って塗布された粘着剤と、この粘着剤を介して前記床材本体の裏面に取り付けられた軟質の略矩形形状のシート状部材とを備え、前記床材本体の厚みは、約１ｍｍ〜約８ｍｍであり、前記シート状部材の厚みは、約０．５ｍｍ〜約５ｍｍであり、前記シート状部材の平面視形状と前記床材本体の平面視形状とは、略同じ大きさであり、前記シート状部材は、前記床材本体の短辺、この短辺に連なる前記床材本体の一の長辺及びこの一の長辺と前記床材本体の前記短辺とで形成されるコーナー部より突出した突出部を有し、この突出部の長辺である前記シート状部材の長辺と前記床材本体の長辺とは、平行であり、前記突出部の短辺である前記シート状部材の短辺と前記床材本体の短辺とは、平行であり、前記床材本体の裏面は、前記シート状部材が突出した分、前記シート状部材で覆われないで露出して前記粘着剤が塗布された露出部が形成されているものである。
【０００９】
また、請求項４記載の床面は、施工面に請求項３記載の床材のシート状部材を当接して前記床材を敷き詰めて形成される床面であって、露出部にある粘着剤を介して隣接する床材本体同士を接続するものである。
【００１０】
また、請求項５記載の床材は、請求項１又は請求項３記載の床材において、露出部に離剥紙が付着して、前記露出部を覆っているものである。
【００１１】
また、請求項６記載の床面は、施工面がカーペットであって、このカーペットの上に請求項１又は請求項３記載の床材を敷き詰め、請求項１又は請求項３記載のシート状部材の施工面側に、前記カーペットに係止する係止部材を備えた面状ファスナーを取り付け、前記面状ファスナーの係止部材が前記カーペットに係止しているものである。
【００１２】
また、請求項７記載の床面は、請求項６記載の床面において、ＯＡフロアをカーペットで覆い、このカーペットを請求項１又は請求項３記載の床材を敷き詰めて覆うものである。
【００１３】
また、請求項８記載の床材は、略矩形形状の床材本体と、この床材本体の裏面に付着して取り付けられ、軟質の略矩形形状のシート状部材とを備え、前記床材本体の厚みは、約１ｍｍ〜約８ｍｍであり、前記シート状部材の厚みは、約０．５ｍｍ〜約５ｍｍであり、前記シート状部材は、略全体に亘って粘着剤が塗布され、前記シート状部材の平面視形状と前記床材本体の平面視形状とは、略同じ大きさであり、前記シート状部材は、前記床材本体の短辺、この短辺に連なる前記床材本体の一の長辺及びこの一の長辺と前記床材本体の前記短辺とで形成されるコーナー部より突出した突出部を有し、この突出部の長辺である前記シート状部材の長辺と前記床材本体の長辺とは、平行であり、前記突出部の短辺である前記シート状部材の短辺と前記床材本体の短辺とは、平行であり、前記床材本体の裏面は、前記シート状部材が突出した分、前記シート状部材で覆われないで露出して露出部が形成され、この露出部の表面に略全体に亘って第１の面状ファスナーが設けられ、前記シート状部材の突出した部位の表面の略全体に亘って第２の面状ファスナーが設けられ、前記第１の面状ファスナーが雄型であれば、前記第２の面状ファスナーは雌型であり、前記第１の面状ファスナーが雌型であれば、前記第２の面状ファスナーは雄型であり、前記第１の面状ファスナーが雄雌型であれば、前記第２の面状ファスナーは雄雌型である。
【００１４】
また、請求項９記載の床材は、カーペットの上に敷き詰める略矩形形状の床材本体であって、前記床材本体の裏面に、前記カーペットに係止する係止部材を備えた面状ファスナーを取り付けたものである。
【発明の効果】
【００１５】
請求項１記載の床材によれば、床材の運搬、保管等のために粘着部が露出した床材本体を積層しても、上下方向に隣接したシート状部材の距離は、床材本体の厚み（約１ｍｍ〜約８ｍｍ）の間隔を有しているため、上下方向に隣接したシート状部材同士が付着するのを防いで使用勝手を向上させ、
また、施工面に略矩形形状の床材本体を上下及び／又は左右に敷き詰めれば、突出部の表面にある粘着剤を介して隣接する床材本体同士を簡易且つ迅速に接続することができ、更に、部分的に簡単に剥がせる使用勝手の良好な床材をえることができる。
しかも、軟質のシート状部材は、略全体に亘って粘着剤が塗布され、シート状部材が軟質性のため、シート状部材が床材本体の裏面の形状に沿うことができ強力に接着するのみならず、前記床材本体に隣接する床材本体の裏面にも追随し、隣接する床材本体の裏面の形状に沿うことができ強力に接着し、
更に、床材本体に点荷重（集中荷重）が加わっても、シート状部材は、約０．５ｍｍ〜約５ｍｍと厚みがあって、ある程度腰があるシート状部材を介して床材本体同士は接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、軟質性のシート状部材の厚みが、約０．５ｍｍ〜約５ｍｍであるため、施工面に多少の不陸（凹凸）があっても、軟質性のシート状部材により不陸（凹凸）を吸収して、床材本体の表面の平坦面を保持することができる等使用勝手を向上させることができる。
【００１６】
また、請求項２記載の床面によれば、床面を施工するに当たって、床材の運搬、保管等のために粘着部が露出した床材本体を積層しても、上下方向に隣接したシート状部材の距離は、床材本体の厚み（約１ｍｍ〜約８ｍｍ）の間隔を有しているため、上下方向に隣接したシート状部材同士が付着するのを防いで使用勝手を向上させ、
また、施工面に略矩形形状の床材本体を上下及び／又は左右に敷き詰めれば、突出部の表面にある粘着剤を介して隣接する床材本体同士を簡易且つ迅速に接続することができ、更に、部分的に簡単に剥がせる使用勝手の良好な床材をえることができる。
しかも、軟質のシート状部材は、略全体に亘って粘着剤が塗布され、シート状部材が軟質性のため、シート状部材が床材本体の裏面の形状に沿うことができ強力に接着するのみならず、前記床材本体に隣接する床材本体の裏面にも追随し、隣接する床材本体の裏面の形状に沿うことができ強力に接着し、更に、床材本体に点荷重（集中荷重）が加わっても、シート状部材は、約０．５ｍｍ〜約５ｍｍと厚みがあって、ある程度腰があるシート状部材を介して床材本体同士は接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、軟質性のシート状部材の厚みが、約０．５ｍｍ〜約５ｍｍであるため、施工面に多少の不陸（凹凸）があっても、軟質性のシート状部材により不陸（凹凸）を吸収して、床材本体の表面の平坦面を保持することができる等使用勝手を向上させることができる等使用勝手を向上させることができる。
【００１７】
また、請求項３記載の床材によれば、床材の運搬、保管等のために粘着剤が露出した床材本体を積層しても、床材本体の粘着剤が塗布された露出部と該露出部に対向するシート状部材の部位とは、床材本体の厚み（約１ｍｍ〜約８ｍｍ）の間隔を有しているため、床材本体の粘着剤が塗布された露出部と該露出部に対向するシート状部材の部位とが付着するのを防いで使用勝手を向上させ、
また、施工面に略矩形形状の床材本体を上下及び／又は左右に敷き詰めれば、突出部の表面にある粘着剤を介して隣接する床材本体同士を簡易且つ迅速に接続することができ、更に、部分的に簡単に剥がせる使用勝手の良好な床材をえることができる。
しかも、床材本体の裏面に付着したシート状部材は軟質性のため、シート状部材が床材本体の裏面の形状に沿うことができ強力に接着するのみならず、前記床材本体に隣接する床材本体の裏面にも追随し、隣接する床材本体の裏面の形状に沿うことができ強力に接着し、更に、床材本体に点荷重（集中荷重）が加わっても、床材本体同士はシート状部材を介して接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、施工面に多少の不陸（凹凸）があっても、軟質性のシート状部材により不陸（凹凸）を吸収することができるため、床材本体の表面の平坦面を保持することができる等使用勝手を向上させることができる。
【００１８】
また、請求項４記載の床面によれば、床面を施工するに当たって、床材の運搬、保管等のために粘着剤が露出した床材本体を積層しても、床材本体の粘着剤が塗布された露出部と該露出部に対向するシート状部材の部位とは、床材本体の厚み（約１ｍｍ〜約８ｍｍ）の間隔を有しているため、床材本体の粘着剤が塗布された露出部と該露出部に対向するシート状部材の部位とが付着するのを防いで使用勝手を向上させ、
また、施工面に略矩形形状の床材本体を上下及び／又は左右に敷き詰めれば、突出部の表面にある粘着剤を介して隣接する床材本体同士を簡易且つ迅速に接続することができ、更に、部分的に簡単に剥がせる使用勝手の良好な床材をえることができる。
しかも、床材本体の裏面に付着したシート状部材は軟質性のため、シート状部材が床材本体の裏面の形状に沿うことができ強力に接着するのみならず、前記床材本体に隣接する床材本体の裏面にも追随し、隣接する床材本体の裏面の形状に沿うことができ強力に接着し、更に、床材本体に点荷重（集中荷重）が加わっても、床材本体同士はシート状部材を介して接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、施工面に多少の不陸（凹凸）があっても、軟質性のシート状部材により不陸（凹凸）を吸収することができるため、床材本体の表面の平坦面を保持することができる等使用勝手を向上させることができる。
【００１９】
また、請求項５記載の床材によれば、前述した請求項１又は請求項３記載の発明の効果に加え、露出部に離剥紙が付着して、前記露出部を覆っているため、露出部の粘着剤に塵等が付着せず粘着効果が低下することを防止することができる。
【００２０】
また、請求項６記載の床面によれば、前述した請求項１又は請求項３記載の記載の発明の効果に加え、請求項１又は請求項３記載のシート状部材の施工面側に、カーペットに係止する係止部材を備えた面状ファスナーを取り付け、前記面状ファスナーの係止部材が前記カーペットに係止しているため、カーペットを請求項１又は請求項３記載の記載の床材で、容易に係脱自在にカーペットを隠蔽することができる。 
【００２１】
また、請求項８記載の床材によれば、床材の運搬、保管等のために面状ファスナーが露出した床材本体を積層しても、上下方向に隣接したシート状部材の距離は、床材本体の厚み（約１ｍｍ〜約８ｍｍ）の間隔を有しているため、上下方向に隣接したシート状部材同士が付着するのを防いで使用勝手を向上させ、
また、施工面に略矩形形状の床材本体を上下及び／又は左右に敷き詰めれば、第１の面状ファスナーと第２の面状ファスナーを係止させて隣接する床材本体同士を簡易且つ迅速に接続することができ、更に、部分的に簡単に剥がせる使用勝手の良好な床材をえることができる。
しかも、軟質のシート状部材は、略全体に亘って粘着剤が塗布され、シート状部材が軟質性のため、シート状部材が床材本体の裏面の形状に沿うことができ強力に接着するのみならず、前記床材本体に隣接する床材本体の裏面にも追随し、隣接する床材本体の裏面の形状に沿うことができ強力に接着し、
更に、床材本体に点荷重（集中荷重）が加わっても、シート状部材は、約０．５ｍｍ〜約５ｍｍと厚みがあって、ある程度腰があるシート状部材を介して床材本体同士は接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、軟質性のシート状部材の厚みが、約０．５ｍｍ〜約５ｍｍであるため、施工面に多少の不陸（凹凸）があっても、軟質性のシート状部材により不陸（凹凸）を吸収して、床材本体の表面の平坦面を保持することができる等使用勝手を向上させることができる。
【００２２】
また、請求項９記載の床材によれば、カーペットの上に敷き詰める略矩形形状の床材本体であって、前記床材本体の裏面に、前記カーペットに係止する係止部材を備えた面状ファスナーを取り付けたため、カーペットを床材で容易に係脱自在に隠蔽することができ、しかも、床材を部分的に簡単に剥がせる使用勝手の良好な床材をえることができる。
【図面の簡単な説明】
【００２３】
【図１】図１は、本発明の一実施例の床材の概略的斜視図である。
【図２】図２は、図１の床材から床材本体とシート状部材を分離した状態を示す概略的斜視図である。
【図３】図３は、図２のシート状部材から剥離紙を分離した状態を示す概略的斜視図である。
【図４】図４は、図１の床材の概略的平面図である。
【図５】図５は、図４の５−５線による概略的断面図である。
【図６】図６は、図１の床材を積層した状態を示す概略的斜視図である。
【図７】図７は、図６の７−７線による概略的断面図である。
【図８】図８（ａ）（ｂ）（ｃ）（ｄ）（ｅ）は、図１の床材を施工面へ敷き詰める過程を示す概略的平面図である。
【図９】図９（ａ）（ｂ）（ｃ）（ｄ）（ｅ）は、図８（ａ）〜（ｅ）の後、床材を施工面へ敷き詰める過程を示す概略的平面図である。
【図１０】図１０は、図９（ａ）〜（ｅ）の後、床材を施工面へ敷き詰めた状態の概略的平面図である。
【図１１】図１１は、図１０の施工面と異なる施工面へ床材を敷き詰めた状態の概略的平面図である。
【図１２】図１２は、図１の床材と異なる他の実施例の床材をＯＡフロアの上のカーペットに施工する状態を示す概略的断面図である。
【図１３】図１３は、図１２の床材をカーペットに施工した状態を示す概略的断面図である。
【図１４】図１４は、図１２の床材と異なる他の実施例の床材の床材本体の裏面に塗布された粘着剤にシート状部材を付着する前の状態を示す概略的断面図である。
【図１５】図１５は、図１４の床材本体の裏面に塗布された粘着剤にシート状部材が付着した状態を示す概略的断面図である。
【図１６】図１６は、図１５の床材を積層した状態を示す概略的断面図である。
【発明を実施するための形態】
【００２４】
本発明の一実施例の床材及び床面を図面を参照して説明する。
（実施例１）
図１乃至図１０に示すＦは床材で、床材Ｆは、概略的に、略矩形形状の床材本体１と、この床材本体１の裏面に粘着剤ｎを介して取り付けられたシート状部材２とを備えている。
床材本体１は、合板１ａに印刷された部材１ｂを貼り付けたものである。床材本体１は、これに限らず、例えば、ＭＤＦ（中密度繊維板）に印刷された部材を貼り付けたもの、合板に突板(単板）を貼り付けたもの、ＭＤＦ（中密度繊維板）に突板(単板）を貼り付けたもの、突板(単板）そのもの、ホモジニアスビニル床タイル、Ｐタイル（タジマ社製）等の樹脂製の床材等でも良く、床材本体１の厚みは、約１ｍｍ〜約８ｍｍ程度のもである。
【００２５】
また、シート状部材２は、軟質で略矩形形状をなし、その厚みは、約０．５ｍｍ〜約５ｍｍ（より望ましくは、約１ｍｍ〜約５ｍｍ程度）程度のもので、シート状部材２の表面の略全体に亘って粘着剤（又は再剥離性の粘着剤）ｎが塗布されている（図３参照）。また、シート状部材２は、軟質で略矩形形状を成していれば良いが、高層ビルやアパートなどに使用される床の場合、防音性を求められるケースも少なくなく、シート状部材２を通常床下地に敷き詰める遮音性を高める遮音シート（例えば、軟質塩化ビニール、ゴム等）で構成して、遮音効果を付与しても良い。
更に、シート状部材２として、自己粘着性を有するブチルゴム製の制振シートを利用すれば、制振性を向上でき、階下への足音を低減化できるのみならず、粘着剤を使用した粘着加工をも省くことができる。また、シート状部材２は、軟質の樹脂系だけでなく、パンチカーペットといった厚手の不織布（約０．５ｍｍ〜約５ｍｍ）でも良い。
なお、粘着剤ｎは、床材本体１に面する側に位置している。
そして、シート状部材２の平面視形状ａｂｃｄと床材本体１の平面視形状ＡＢＣＤとは、略同じ大きさであり（図４参照）、シート状部材２は、図４に示すように、床材本体１の短辺ＡＢ、この短辺ＡＢに連なる床材本体１の一の長辺ＢＣ及びこの一の長辺ＢＣと床材本体１の短辺ＡＢとで形成されるコーナー部Ｂより突出した突出部２Ａを有し、この突出部２Ａの長辺ｂｃであるシート状部材２の長辺ｂｃと床材本体１の長辺ＢＣとは、平行であり、突出部２Ａの短辺ａｂであるシート状部材２の短辺ａｂと床材本体１の短辺ＡＢとは、平行であり、床材本体１の裏面は、シート状部材２が突出した分、シート状部材２で覆われないで露出して露出部１Ａ（図５参照）が形成されている
なお、突出部２Ａは、本実施例のように剥離紙３で被覆されていることが望ましいが、必ずしも、必要ではない。また、床材Ｆは、図６及び図７に示すように積層して、運搬、保管等することができる。
【００２６】
従って、図８及び図９に示すように、施工面Ａに剥離紙３を剥いで、略矩形形状の床材本体１を上下及び／又は左右に敷き詰めて床面を形成することができる。つまり、突出部２Ａの表面にある粘着剤ｎを介して隣接する床材本体１同士を簡易且つ迅速に接続して、図１０に示すような床面を形成することができ、更に、部分的に簡単に剥がせる使用勝手の良好な床材Ｆをえることができる。
床面の形状が、図１０に示す床材本体１の寸法に合致する場合は、床材本体１をそのまま利用することができる。
また、図１１に示すように、床材本体１をそのまま利用しただけでは、合致しない場合は、合致するように床材Ｆを図示しないカッター等を用いて切断するようにする。
なお、特に、軟質のシート状部材２は、シート状部材２の表面の略全体に亘って粘着剤ｎが塗布され、シート状部材２が軟質性のため、シート状部材２が床材本体１の裏面の形状に沿うことができ強力に接着するのみならず、床材本体１に隣接する床材本体１の裏面にも追随し、隣接する床材本体１の裏面の形状に沿うことができ強力に接着し、更に、床材本体１にテーブル、机、椅子等の脚部の点荷重（集中荷重）が加わっても、床材本体１同士はシート状部材２を介して接続されているため、点荷重（集中荷重）が加わった床材本体１のみならず、点荷重（集中荷重）が加わった床材本体１にシート状部材２を介して接続された床材本体１をも追随するため、隣接する床材本体１との境界部に隙間が生じるのを防ぎ（隙間が生じると、隣接する床板本体１との間に段差が生じ、躓いたり、隙間からゴミ等が侵入する不具合が生じる。）、加えて、施工面Ａに多少の不陸（凹凸）があっても、軟質性のシート状部材２により不陸（凹凸）を吸収することができるため、床材本体１の表面の平坦面を保持することができる。
【００２７】
（実施例２）
次に示す実施例は、施工面がＯＡフロア等に敷かれたカーペットに好適な床面について、図１２及び図１３を参照して説明する。
本実施例の床材Ｆは、上述した実施例１のシート状部材２の施工面Ａ’側に、係止部材１０ａを備えた面状ファスナー１０を、例えば、粘着層ｎ’を介して取り付けている。
２０はＯＡフロアで、３０は配線５を収納する溝部で、４０はＯＡフロア２０に敷かれた表面にループ形状４０ａを有するカーペットである。
カーペット４０を床材Ｆを敷き詰めて覆うには、上述した実施例１と同様に、突出部２Ａの表面にある粘着剤ｎを介して隣接する床材本体１同士を接続すると共に、面状ファスナー１０の係止部材１０ａをカーペット４０のループ形状４０ａに係止させるようにする。
従って、カーペット４０を床材Ｆを敷き詰めて覆うことができるため、カーペット４０を床材Ｆで容易に隠蔽することができ、しかも、カーペット４０と床材Ｆとは、カーペット４０の表面のループ形状４０ａを利用して、シート状部材２の裏面に係止部材１０ａを付加するという簡易な手段により、カーペット４０と床材Ｆとの係脱を容易に行うことができる。
なお、本実施例(図１２及び図１３)のカーペット４０の表面はループ形状４０ａ、面状ファスナー１０の係止部材１０ａはフック形状であったが、逆の構成でも良い。要は、シート状部材２の施工面Ａ’側に、カーペット４０に係止する係止部材１０ａを備えた面状ファスナー１０を取り付ける関係になっていれば良い。
また、本実施例(図１２及び図１３)の面状ファスナー１０は、粘着層ｎを有したシート状部材２に取り付けたが、後述する図１５記載の上面に粘着層ｎを有しないシート状部材２にも適用することができる。すなわち、粘着剤ｎは床材本体１の裏面全体に亘って塗布され、この粘着剤ｎを介して軟質の略矩形形状のシート状部材２が床材本体１の裏面に取り付けられている。図１５記載のシート状部材２に図１２記載のように、粘着層ｎ’を介して面状ファスナー１０を取り付けても良く、かかる場合の作用効果は図１２及び図１３記載の実施例２と同様である。
また、本実施例にあっては、ＯＡフロア２０のカーペット４０の例を示したが、本願発明にあっては、ＯＡフロア２０に限らず、表面にループ形状又はフック形状を有するカーペットであれば、適用できるものである。また、本実施例（図１２及び図１３）２においては、上述した実施例１と同一部分に同一符号を付して説明の一部を省略する。
また、本実施例にあっては、図１２に示すように、床材本体１の裏面は、シート状部材２が突出した分、シート状部材２で覆われないで露出して露出部１Ａが形成されているが、この露出部１Ａの表面に略全体に亘って図示しない第１の面状ファスナーと、図１２記載のシート状部材２の突出した部位の表面の略全体に亘って設けた剥離紙３に代えて、図示しない第２の面状ファスナーと、をそれぞれ設けるようにしても良い。
かかる場合、施工面がＯＡフロア等に敷かれた表面にループ状の凸片を有するカーペットに限らず、通常のフロア等であっても良く、前記第１の面状ファスナーが雄型であれば、前記第２の面状ファスナーは雌型であり、前記第１の面状ファスナーが雌型であれば、前記第２の面状ファスナーは雄型であり、前記第１の面状ファスナーが雄雌型であれば、前記第２の面状ファスナーは雄雌型である。かかる場合の床材によっても、床材１の運搬、保管等のために面状ファスナー（図示しない第１の面状ファスナー及び図示しない第２の面状ファスナー）が露出した床材本体を積層しても、上下方向に隣接したシート状部材の距離は、床材本体の厚み（約１ｍｍ〜約８ｍｍ）の間隔を有しているため、上下方向に隣接したシート状部材同士が付着するのを防いで使用勝手を向上させ、また、施工面に略矩形形状の床材本体を上下及び／又は左右に敷き詰めれば、第１の面状ファスナーと第２の面状ファスナーを係止させて隣接する床材本体同士を簡易且つ迅速に接続することができ、更に、部分的に簡単に剥がせる使用勝手の良好な床材をえることができる。しかも、軟質のシート状部材は、略全体に亘って粘着剤が塗布され、シート状部材が軟質性のため、シート状部材が床材本体の裏面の形状に沿うことができ強力に接着し、前記床材本体に隣接する床材本体の裏面にも図示しない第１の面状ファスナー及び図示しない第２の面状ファスナーを介して追随し、隣接する床材本体の裏面の形状に沿うことができ、更に、床材本体に点荷重（集中荷重）が加わっても、シート状部材は、約０．５ｍｍ〜約５ｍｍと厚みがあって、ある程度腰があるシート状部材を介して床材本体同士は接続されているため、点荷重（集中荷重）が加わった床材本体のみならず、点荷重（集中荷重）が加わった床材本体にシート状部材を介して接続された床材本体をも追随するため、隣接する床材本体との境界部に隙間が生じるのを防ぎ（隙間が生じると、隣接する床板本体との間に段差が生じ、躓いたり、隙間からゴミ等が侵入する不具合が生じる。）、加えて、軟質性のシート状部材の厚みが、約０．５ｍｍ〜約５ｍｍであるため、施工面に多少の不陸（凹凸）があっても、軟質性のシート状部材により不陸（凹凸）を吸収して、床材本体の表面の平坦面を保持することができる等使用勝手を向上させることができる。
また、実施例２にあっては、シート状部材２を設けたが、場合によりシート状部材２を省略することもできる。
即ち、図１２及び図１３に示すシート状部材２及び剥離紙３を省略し、床材本体１の裏面に図示しない面状ファスナーを取り付け、該図示しない面状ファスナーを図１２に示すループ形状４０ａに係止するようにしても良い。なお、床材本体１の裏面の図示しない面状ファスナーは、床材本体１の裏面に部分的に設けても良いが、望ましくは、床材本体１の裏面の略全体に亘って設けるのが良い。かかる場合の床材にあっても、カーペットの上に敷き詰める略矩形形状の床材本体であって、前記床材本体の裏面に、前記カーペットに係止する係止部材を備えた面状ファスナーを取り付けたため、カーペットを床材で容易に係脱自在に隠蔽することができ、しかも、床材を部分的に簡単に剥がせる使用勝手の良好な床材をえることができる。
【００２８】
（実施例３）
上述した実施例１及び実施例２の図１乃至図１３においては、シート状部材２の表面の略全体に亘って粘着剤ｎを塗布するようにしているが、本願発明にあっては、これに限らず、粘着剤ｎが塗布される部位をシート状部材２ではなく床材本体１の裏面にした場合にも、同様に適用できるものである（図１４乃至図１６参照）。
粘着剤ｎは床材本体１の裏面全体に亘って塗布され、この粘着剤ｎを介して軟質の略矩形形状のシート状部材２が床材本体１の裏面に取り付けられている。
シート状部材２の平面視形状と床材本体１の平面視形状とは、上述した実施例１及び実施例２と同様、略同じ大きさであり、シート状部材２は、上述した実施例１及び実施例２と同様、床材本体１の短辺、この短辺に連なる床材本体１の一の長辺及びこの一の長辺と床材本体１の前記短辺とで形成されるコーナー部より突出した突出部２Ａ(図１５及び図１６)を有し、この突出部２Ａの長辺であるシート状部材２の長辺と床材本体１の長辺とは、上述した実施例１及び実施例２と同様、平行であり、突出部２Ａの短辺であるシート状部材２の短辺と床材本体２の短辺とは、上述した実施例１及び実施例２と同様、平行であり、床材本体１の裏面は、シート状部材２が突出した分、シート状部材２で覆われないで露出して粘着剤ｎが塗布された露出部１Ａ’(図１５)が形成されている。
この実施例の床材Ｆによれば、床材Ｆの運搬、保管等のために粘着剤ｎが露出（露出した部位１Ａ’）した床材本体１を積層(図１６)しても、床材本体１の粘着剤ｎが塗布された露出部１Ａ’と該露出部１Ａ’に対向するシート状部材２の部位とは、床材本体の厚み（約１ｍｍ〜約８ｍｍ）の間隔（図１６参照）を有しているため、床材本体１の粘着剤が塗布された露出部１Ａ’と該露出部１Ａ’に対向するシート状部材２の部位とが付着するのを防いで使用勝手を向上させ、
また、施工面に略矩形形状の床材本体１を実施例１と同様に、上下及び／又は左右に敷き詰めれば、床材本体１の裏面の粘着剤ｎを介して隣接する床材本体１同士を簡易且つ迅速に接続することができ、更に、部分的に簡単に剥がせる使用勝手の良好な床材をえることができる。
しかも、床材本体１の裏面に付着したシート状部材２は軟質性のため、シート状部材２が床材本体１の裏面の形状に沿うことができ強力に接着するのみならず、床材本体１に隣接する床材本体１の裏面にも追随し、隣接する床材本体１の裏面の形状に沿うことができ強力に接着し、更に、床材本体１に点荷重（集中荷重）が加わっても、床材本体１同士はシート状部材２を介して接続されているため、点荷重（集中荷重）が加わった床材本体１のみならず、点荷重（集中荷重）が加わった床材本体１にシート状部材２を介して接続された床材本体１をも追随するため、隣接する床材本体１との境界部に隙間が生じるのを防ぎ（隙間が生じると、隣接する床板本体１との間に段差が生じ、躓いたり、隙間からゴミ等が侵入する不具合が生じる。）、加えて、施工面に多少の不陸（凹凸）があっても、軟質性のシート状部材２により不陸（凹凸）を吸収することができるため、床材本体１の表面の平坦面を保持することができる等使用勝手を向上させることができる。
【符号の説明】
【００２９】
Ｆ      床材
ｎ      粘着剤
１      床材本体
１Ａ    露出部
２      シート状部材
２Ａ    突出部
【図１】
2012167472.tif 000003
【図２】
2012167472.tif 000004
【図３】
2012167472.tif 000005
【図４】
2012167472.tif 000006
【図５】
2012167472.tif 000007
【図６】
2012167472.tif 000008
【図７】
2012167472.tif 000009
【図８】
2012167472.tif 000010
【図９】
2012167472.tif 000011
【図１０】
2012167472.tif 000012
【図１１】
2012167472.tif 000013
【図１２】
2012167472.tif 000014
【図１３】
2012167472.tif 000015
【図１４】
2012167472.tif 000016
【図１５】
2012167472.tif 000017
【図１６】
2012167472.tif 000018